(57)【特許請求の範囲】
【請求項１】
挟持バンド（１０）からなるホースクランプであって、
前記挟持バンド（１０）は、
閉止状態にて互いに重ね合わされる外側端部及び内側端部と、
前記内側端部と外側端部にそれぞれ設けられて、ホースクランプの閉止状態においてこれら内側端部と外側端部とを相互に係合させて維持する閉止手段（１６、１７、２７、２８）と、
前記内側端部の閉止手段（１６、１７）と外側端部の閉止手段（２７、２８）との間に設けられ、外向きに延びる一対の脚部（２５）及びこれら脚部（２５）を相互に接続するブリッジ部（２６）を備えるイヤー状締め付け手段（２４）とを有し、
前記内側端部がその外側の面に第１有歯部（１５）を有し、この第１有歯部（１５）はホースクランプの締め付け状態において、前記イヤー状締め付け手段（２４）から見て外側挟持バンド端（２９）とは逆の側にて、前記外側端部の内側の面に配置された第２有歯部（２３）と係合し、
前記内側端部の終端部が舌片（１２）をなし、この舌片（１２）は、バンド全幅よりも小さい幅を有し、かつ前記ホースクランプの前記閉止状態において前記外側端部に設けられたステップ（２１）からその端部が挟持バンド（１０）の外側に突出するように差し込まれ、
前記外側端部が、前記ステップ（２１）に隣接する領域に、前記閉止状態にて、ステップ（２１）から外側に突出した舌片（１２）の端部を外側から覆うカバー部（１９）を有する
ことを特徴とするホースクランプ。
【請求項２】
前記有歯部（１５、２３）の少なくとも一方が、前記挟持バンドにおける長手方向スロット（１４）によって分割された部分に形成された、請求項１に記載のホースクランプ。
【請求項３】
前記第１有歯部（１５）が前記舌片（１２）上に形成された、請求項１又は２に記載のホースクランプ。
【請求項４】
前記閉止手段（１６、１７、２７、２８）が、前記外側端部に形成された少なくとも１つの凹部（２７）と、前記内側端部に形成され、かつ前記ホースクランプの前記閉止状態において前記凹部（２７）と係合する突起部（１７）とを有し、前記凹部（２７）が突起部（１６）上に形成されたガイドフィンガー（３３）と係合するための、前記イヤー状締め付け手段（２４）に向かって開放する切り欠き（３４）を有する、請求項１〜３のいずれか１項に記載のホースクランプ。
【請求項５】
前記挟持バンド（１０）は、その内側の面における、前記閉止状態にてホースに突き当てられる箇所に凹部（３１）を有し、この凹部（３１）の周縁部は、完全に前記挟持バンド（１０）の内側にあり、かつ前記挟持バンド（１０）の長手方向中心から遠ざかるにつれて幅が減少していく先細部をなす、請求項１〜４のいずれか１項に記載のホースクランプ。
【請求項６】
前記凹部（３１）の周縁部が、周囲を囲むビード（３２）によって強化された、請求項５に記載のホースクランプ。
【請求項７】
前記舌片（１２）が、前記外側端部に設けられたガイドスロット（２０）と係合するガイドノーズ（１３）を備える、請求項１〜６のいずれか１項に記載のホースクランプ。
【請求項８】
前記ホースクランプの前記閉止状態を観察するために前記ガイドスロット（２０）の横にマーク（３０）が備えられた、請求項７に記載のホースクランプ。
【請求項９】
前記挟持バンド（１０）の外側の面の外側挟持バンド端（２９）の近傍に、前記ホースクランプの不慮の開放を防止するために、固着フック（１８）が備えられた、請求項１〜８のいずれか１項に記載のホースクランプ。
【請求項１０】
前記閉止手段（１６、１７、２７、２８）が、前記外側端部に外側へと突出するように設けられた複数の凹部（２７、２８）と、前記内側端部に外側へと突出するように設けられて、これら凹部（２７、２８）にそれぞれ係合する突起部（１６、１７）とにより形成された、請求項１〜９のいずれか１項に記載のホースクランプ。
【発明の詳細な説明】
【背景技術】
【０００１】
請求項１の前文に示した特徴を有する開放型ホースクランプが、特許文献１から知られている。これにおいて、イヤー形締め付け手段は、挟持されるべき物体にクランプが取り付けられた際に、クランプに与えられたその締め付け状態にてクランプを保持する目的を有する。
【０００２】
特許文献２は、挟持バンドの端部に、重複状態での相互係合のための有歯領域を備えた開放型ホースクランプを開示する。クリップは、詳細には説明しないが、端部を相互に係合して保持する機能を有する。かかるクリップは、特許文献３により知られている。特許文献４には、舌片の外側に設けられた第１有歯領域が、隆起部の内側に設けられた第２有歯領域と協働する、別のホースクランプが記載されている。歯の係合する、これら全てのホースクランプは、取り付けられた際、締め付けバンドのフリーの外側端部を引っ張ることによって締め付けることができる。
【先行技術文献】
【特許文献】
【０００３】
【特許文献１】米国特許第４，２９９，０１２号明細書
【特許文献２】米国特許第４，０５３，９８５号明細書
【特許文献３】米国特許第３，０７８，５３２号明細書
【特許文献４】米国特許第１，８０４，７２５号明細書
【発明の概要】
【発明が解決しようとする課題】
【０００４】
本発明の根底にある目的は、比較可能な先行技術のホースクランプにおいて起こる欠点を少なくとも部分的に回避することである。本発明のより具体的な目的は、所望の保持力まで簡単な方法で締め付けることができ、かつ取り付けられた状態でこの保持力を安全に維持するホースクランプを提供することにあろう。
【課題を解決するための手段】
【０００５】
上記目的は、請求項１に規定されたホースクランプによって達成される。そのホースクランプにおいて、イヤー形締め付け手段は、取り付け中に締め付ける唯一の機能を有し、手動で、又はイヤークランプに共通する工具、例えばプライヤ型工具によって行うことができ、高い保持力を容易に達成することを可能にする。取り付けられた状態で、締め付け中に生成される保持力は、イヤーが力から解放される間に、相互に係合する有歯領域によって取り込まれる。ロック機構として働く有歯領域が、イヤーの領域外に配置されるので、取り付けられたホースクランプは、外側に突き出たイヤーが損傷した場合でも、その機能を安全に果たすことができる。
【０００６】
請求項２に挙げられた二重歯は、歯を型押しするために必要な型押圧力がより低いという利点を有する。
【０００７】
請求項３から５の実施態様によれば、取り扱いに適し、かつ外側に突き出す挟持バンド端部を有さないホースクランプが得られる。
【０００８】
請求項６に挙げられた閉止手段は、２つの挟持バンド端部の、長手方向での安定した相互誘導を達成する。
【０００９】
請求項７及び８の実施態様は、取り付けられたクランプの、材料疲労に起因し得るいかなる拡張も防止するのに役立つ。
【００１０】
ホースクランプの実用的用途及び取り扱いを改善する更なる特徴が、請求項１０及び１１に示されている。
【００１１】
本発明の実施態様を、図を参照して、以下により詳細に説明する。
【図面の簡単な説明】
【００１２】
【図１】閉止されているが、まだ締め付けられていない状態の、第１の実施態様に係るホースクランプの側面図である。
【図２】図１のホースクランプの斜視図である。
【図３】図２の反対側から見た図１のホースクランプの斜視図である。
【図４】閉止状態においては内側になる面から見た、伸張状態の図１のホースクランプの斜視図である。
【図５】閉止状態においては外側になる面から見た、伸張状態の図１のホースクランプの斜視図である。
【図６】図１〜図５のホースクランプの部分拡大平面図である。
【図７】図１〜図５のホースクランプの部分拡大平面図である。
【図８】別の実施態様によるホースクランプの図１と同様の図である。
【図９】別の実施態様によるホースクランプの図４と同様の図である。
【図１０】別の実施態様によるホースクランプの図５と同様の図である。
【図１１】図１０に示したクランプの部分拡大図である。
【図１２】詳細を説明するための拡大図である。
【図１３】詳細を説明するための拡大図である。
【発明を実施するための形態】
【００１３】
図１から図７に示したホースクランプは、次の構成要素を有する挟持バンド１０からなる：すなわち図４及び図５における左上の端部１１から始まって、挟持バンド１０の全幅よりも小さい幅を有し、かつガイドノーズ１３を担持する舌片１２；スロット１４によって分割され、閉止されたクランプの径方向外側を向く第１有歯部１５；支持フックの形状の突起部１６；ガイドフック１７；クランプの意図せぬ開放を防止する一体化固着フック１８；挟持バンドから湾曲しつつ突出し、かつ挟持バンド１０の長手方向に伸長するガイドスロット２０を有するカバー部１９；ガイドスロット２０が内部に延び、かつ閉止されたクランプの径方向内側を向く第２有歯部２３を有し、ステップ２１におけるカバー部１９の端部から始まる隆起部２２；径方向外側に向かって伸長する２本の脚部２５と、これら脚部の外側端部を相互に接続するブリッジ部２６とを有する、いわゆる「エティカーイヤー」２４の形状の締め付け手段２４；支持フック受入手段を形成する凹部２７；ガイドフック受入手段２８；及び外側挟持バンド端２９である。
【００１４】
第１有歯部１５の領域に設けられた長手方向スロット１４によって、歯を形成するために必要な型押圧力が小さくなり得る。
【００１５】
閉止状態で供給されるホースクランプは、挟持すべき物体、例えばホース端部を摺動させて被せたパイプニップル上で軸方向に位置決めされる。次に、ホースクランプは、自動又は手動締め付け具、例えば両脚部２５を係合させる一対のプライヤを用いてイヤー２４を狭めることによって締め付けられ、それによって両方の有歯部１５及び２３を係合させる。この係合によって、ホースクランプは締め付けられた状態でロックされ、この状態において締め付け領域の外側にあるイヤー２４が解放される。外側に突き出たイヤーが、損傷を受けた場合でも、そのことはホースクランプの保持力にもはや影響を及ぼさない。
【００１６】
図１から図３に示すホースクランプの閉止状態において、内側挟持バンド端部１１に設けられたガイドノーズ１３は、隆起部２２内のガイドスロット２０が始まるところにある。適切な締め付け過程において、舌片１２は、カバー部１９の下の領域に挿入され、それに続く挟持バンドの全幅部分がステップ２１の近くに到達するまで、内部に設けられたガイドスロット２０によって誘導された状態が続く。この状態で、挟持されるべき物体は、間隙又は段差のない全幅のホースクランプにより、実質的にその周囲全体にわたって取り囲まれる。
【００１７】
図２及び図７に示すように、挟持バンドには、ガイドノーズ１３の位置を示すために、カバー部１９のガイドスロット２０の横にマーク３０を付することもでき、これによりホースクランプの締め付け状態が視覚的に表示される。
【００１８】
図８から図１０の実施態様は、第１有歯部１５が、舌片１２上の内側挟持バンド端部に形成され、かつ第２有歯部２３のイヤー２４からの距離がより長い点において、図１から図７の実施態様と異なる。この実施態様は大口径のクランプに特に適し、この実施態様において、挟持手段（イヤー２４）及びロック手段（有歯部１５、２３）は、いかなる意図せぬロック解除も安全に防止するために、十分に分離される。
【００１９】
また、径方向内側が開放している水滴形の凹部３１が、締め付け領域内に設けられる。凹部３１の周囲は、完全に挟持バンドの内側にあり、挟持バンドの長手方向中心部から、その幅が減少する。図１１の実施態様に示すように、凹部３１の辺縁部は、周囲縁部３２によって強化されたものとすることができる。ホースクランプの締め付け中、挟持されるべき物体（ホース）の材料は、凹部に押し付けられ、かつ逆方向の運動中に、水滴形の先細部に押し込まれ、それにより、その方向のいかなる運動も抑制する。これにより、挟持バンドの塑性変形に起因して起こり得る、締め付け状態のいかなる弛緩にも対抗する。
【００２０】
図８から図１０によれば、舌片１２のカバー部１９は、より大きな締め付け領域を設けた結果生じる、より長い舌片端部を安全に収容するために、挟持バンド１０から外側に大きく曲げ出される。
【００２１】
図１１から図１３の代替案においては、ホースクランプの閉止状態において、支持フック受入手段２７の切り欠き３４に係合し、かつイヤー２４に向かって開放しているガイドフィンガー３３が支持フック１６に設けられる。これにより、第１の実施態様におけるように舌片上にガイドノーズ１３がない場合であっても、ホースクランプの円周方向における内側挟持バンド端部１１の案内が提供できる。この概念は、図８から図１０の実施態様に特に適している。
【００２２】
図１及び図７に関連して説明した特徴（締め付け状態のマーク）は、上記の全ての実施態様及び代替案でも備えることができる。同様に、図１１から図１３に関して説明した内側挟持バンド端部を誘導する特徴は、図１から図７及び図８から図１０の実施態様で採用できる。さらに、挟持効果の低減を防止するための、図９、図１０及び図１１の特徴（水滴形の浮き出し）は、全ての実施態様に用いることができる。
【符号の説明】
【００２３】
１０  挟持バンド
１１  内側挟持バンド端部
１２  舌片
１３  ガイドノーズ
１４  長手方向スロット
１５  第１有歯部
１６  支持フック
１７  ガイドフック
１８  固着フック
１９  カバー部
２０  ガイドスロット
２１  ステップ
２２  隆起部
２３  第２有歯部
２４  イヤー
２５  脚部
２６  ブリッジ部
２７  支持フック受入手段
２８  ガイドフック受入手段
２９  外側挟持バンド端
３０  マーク
３１  凹部
３２  ビード
３３  ガイドフィンガー
３４  切り欠き
【図１】
0005922246.tif 000002
【図２】
0005922246.tif 000003
【図３】
0005922246.tif 000004
【図４】
0005922246.tif 000005
【図５】
0005922246.tif 000006
【図６】
0005922246.tif 000007
【図７】
0005922246.tif 000008
【図８】
0005922246.tif 000009
【図９】
0005922246.tif 000010
【図１０】
0005922246.tif 000011
【図１１】
0005922246.tif 000012
【図１２】
0005922246.tif 000013
【図１３】
0005922246.tif 000014